(57)【要約】【課題】  本発明は、扉の位置調整が簡単且つ確実に行える門扉を提供することにある。【解決手段】  門柱１０と扉１１とひじ金具１を備え、ひじ金具１は、門柱１０に取り付ける本体１ａと、扉１１を垂直軸回りで回転自在に取り付ける扉支持部材５と、前後調整ボルト３と、左右調整ボルト４と、連動部材２とを有し、本体１ａは、扉支持部材５を保持するものであり、前後調整ボルト３は、本体１ａの見付け面で保持され、左右調整ボルト４は、本体１ａの見込面で保持され、前後調整ボルト３と左右調整ボルト４のどちらか一方が扉支持部材５と螺合しており、連動部材２は、扉支持部材５と螺合する一方の調整ボルト３が進退自在に挿通し且つ係合するとともに、他方の調整ボルト４と螺合しており、一方の調整ボルト３は、他方の調整ボルト４とは独立して扉支持部材５を位置調整自在であると共に、他方の調整ボルト４は、一方の調整ボルト３の調整位置を保持したままで扉支持部材５の位置調整が自在であることを特徴とする。【選択図】      図１（ａ）（ｂ）（ｃ）（ｄ）
2010116704.tif 000002
【特許請求の範囲】
【請求項１】
門柱と扉とひじ金具を備え、ひじ金具は、門柱に取り付ける本体と、扉を垂直軸回りで回転自在に取り付ける扉支持部材と、前後調整ボルトと、左右調整ボルトと、連動部材とを有し、本体は、扉支持部材を保持するものであり、前後調整ボルトは、本体の見付け面で保持され、左右調整ボルトは、本体の見込面で保持され、前後調整ボルトと左右調整ボルトのどちらか一方が扉支持部材と螺合しており、連動部材は、扉支持部材と螺合する一方の調整ボルトが進退自在に挿通し且つ係合するとともに、他方の調整ボルトと螺合しており、一方の調整ボルトは、他方の調整ボルトとは独立して扉支持部材を位置調整自在であると共に、他方の調整ボルトは、一方の調整ボルトの調整位置を保持したままで扉支持部材の位置調整が自在であることを特徴とする門扉。
【発明の詳細な説明】
【技術分野】
【０００１】
本発明は、出入口などに設置される門扉に関するものである。
【背景技術】
【０００２】
調整ボルトにより位置調整が可能なひじ金具を有する門扉として、実開平７−１２９１号公報のものがあり、門柱の前後いずれかの側面に固定するケーシングとアーム部材を前後調整する調整ボルトと左右調整する調整ボルトとを有しており、アーム部材をケーシングにボルトで固定するものであった。
【特許文献１】実開平７−１２９１号公報
【発明の開示】
【発明が解決しようとする課題】
【０００３】
しかしながら、上記の特許文献１に開示されるものでは、扉支持部材は、固定ボルトで本体の空間内で垂直軸回転自在に軸支してあり、さらに、本体の前後方向に水平にねじ込まれる調整ボルトの押し込み具合により、扉支持部材の回転角度を調整して扉を前後方向に調整する構成であり、調整ボルトが本体の水平方向に長い長孔にねじ込まれるものであったから、うまく螺合しないと左右調整された扉支持部材に対して斜めに傾いてねじ込まれた状態となり、しかも、ひじ金具を固定ボルトで固定したときに、扉の位置を調整した後のひじ金具が不意に動いて調整が狂う不都合もあった。
本発明は、上記課題を鑑みてなされたものであり、扉の位置調整が簡単且つ確実に行える門扉を提供することにある。
【課題を解決するための手段】
【０００４】
本発明は、門柱と扉とひじ金具を備え、ひじ金具は、門柱に取り付ける本体と、扉を垂直軸回りで回転自在に取り付ける扉支持部材と、前後調整ボルトと、左右調整ボルトと、連動部材とを有し、本体は、扉支持部材を保持するものであり、前後調整ボルトは、本体の見付け面で保持され、左右調整ボルトは、本体の見込面で保持され、前後調整ボルトと左右調整ボルトのどちらか一方が扉支持部材と螺合しており、連動部材は、扉支持部材と螺合する一方の調整ボルトが進退自在に挿通し且つ係合するとともに、他方の調整ボルトと螺合しており、一方の調整ボルトは、他方の調整ボルトとは独立して扉支持部材を位置調整自在であると共に、他方の調整ボルトは、一方の調整ボルトの調整位置を保持したままで扉支持部材の位置調整が自在であることを特徴とする。
【発明の効果】
【０００５】
本発明によれば、扉支持部材が本体の内部で前後左右に移動自在に保持してあり、また、扉支持部材が連動部材を介して前後調整ボルト又は左右調整ボルトのいずれか一方の調整ボルトに螺合してあることで、連動部材と前後調整ボルトと左右調整ボルトが本体に支持される。さらに、連動部材には扉支持部材と螺合する一方の調整ボルトが進退自在に挿通し且つ係合するとともに、他方の調整ボルトが螺合していることで、例えば、一方の調整ボルトで位置調整した扉支持部材の前後左右いずれかの調整状態を保持したままで、他方の調整ボルトによる位置調整および調整状態の保持ができることから、これにより、従来のような扉支持部材の位置調整後に固定ボルトで固定する必要がなく、結果、固定したときに位置調整が狂う不都合も解消される。
【発明を実施するための最良の形態】
【０００６】
以下に、図面に基づいて本実施による門扉の実施の形態を説明する。
図１（ａ）〜（ｄ）は、本実施による門扉のひじ金具を調整したときの状態を示す横断面図であり、図２は、本実施による門扉の一部を拡大し、ひじ金具を中心に示す斜視図であり、図３は、本実施による門扉の全体を示す正面図である。
尚、ひじ金具１は、門柱１０の前側面１０ａに取り付けてあり、さらに、門柱１０の前側面１０ａを覆う状態でカバー材１２が取り付けてあり、ひじ金具１を覆うものである。
【０００７】
本実施によるひじ金具１は、図２に示すように、本体１ａと、連動部材２と、前後調整ボルト（一方の調整ボルト）３と、左右調整ボルト（他方の調整ボルト）４と、扉支持部材５とからなっており、本体１ａは、後側面と左右の一側面が開放したものであり、且つ前側面１０ａの上下方向の略中央が略凸状に膨らんだ略上下対称形状をなすものであり、この本体１ａが１種類あれば、左右いずれの門柱１０の前側面１０ａに取り付けたときであっても、上下に反転して取り付けることができる。連動部材２は、門柱１０の前側面１０ａに沿う方向に延びる見付け片２ａと、その見付け片２ａの左右いずれか一端（図１中では右側端）側から前方に延びる見込み片２ｂとから平面視して略Ｌ字状をなすものである。前後調整ボルト３は、本体１ａの見付け面（門柱１０の前側面１０ａ側面）に保持されており、連動部材２の見付け片２ａを前後に貫通しており、この前後調整ボルト３のヘッド部を正・逆いずれかに回すことで、扉支持部材５を前後自在に移動できる。また、左右調整ボルト４は、本体１ａの見込み面（門柱１０の右側面）に保持されており、連動部材２の見込み片２ｂを左右に螺合・挿通しており、上記の前後調整ボルト３と同様に、正・逆いずれかに回すことで扉支持部材５を門柱１０の前側面１０ａに沿って左右に自在に移動する。扉支持部材５は、左右いずれかの端部に左右調整ボルト４を受け入れる切欠部５ａと、扉１１の丁番１１ａを軸支する軸アーム５ｂを有している。切欠部５ａは、上下に間隔をあけた二箇所に配置してあり、扉支持部材５を上下に反転しても左右調整ボルト４を受け入れる箇所をそのままに、扉１１の吊り位置のみを変更することができる。また、軸アーム５ｂは、扉支持部材５の切欠部５ａを設けていない左右いずれかの端部から前後いずれかの方向に延びて平面視略Ｌ字状をなすものであり、その前後方向に延びる先端部に上向きに突出した扉１１の丁番に挿通可能な軸部を有している。また、扉支持部材５の前後調整ボルトが螺合する箇所は、段差部１４が設けてあり、段差部１４は、扉支持部材５を前後方向に調整したときに連動部材２が受け入れられることで、前後方向の調整幅をとるものである。
【０００８】
次に、本実施によるひじ金具による扉の位置調整について、図１（ａ）〜（ｄ）に基づいて以下に説明する。
本実施によるひじ金具で扉１１を前後方向に調整するときには、図１（ａ）（ｂ）のように、門柱１０の前側面１０ａ側から前後調整ボルト３を回すことで連動部材２とともに扉支持部材５が前後方向に動き、これに伴い扉支持部材５に取り付けられた扉１１が前後に移動して位置が調整される。また、扉１１を左右方向に調整するときには、図１（ｃ）（ｄ）のように、左右調整ボルト４を正・逆いずれかの方向に回すことで、連動部材２とともに扉支持部材５が左右に動き、これに伴い扉支持部材５に取り付けられた扉１１が左右に移動して位置が調整できる。また、このときに、左右調整ボルト４の軸部先端は、扉支持部材５の切欠部５ａで空回りして扉支持部材５に係止することがないので、連動部材２の見込み片２ｂのみに螺合している。
以上のように、扉支持部材５が連動部材２を介して前後調整ボルト３と左右調整ボルト４で保持してあることで、本体１ａのみが門柱１０の前側面１０ａに固定してあるため、扉支持部材５を門柱１０に固定する固定具が不要となる。
【０００９】
本発明の門扉は、上記実施のものに限らず、ひじ金具１の本体１ａや扉支持部材５の形状や大きさなどを特に限定するものではない。また、扉支持部材５の切欠部５ａは、扉支持部材５が前後調整ボルト３を回して前後移動したときに、左右調整ボルト４が係止しないように通過させるものであるから、逆に、扉支持部材５に左右調整ボルト４を螺合する形態のものでは、扉支持部材５が左右移動したときに、前後調整ボルト３が連動して移動できるように切欠部を設けたものであってもよい。また、ひじ金具１は、門柱１０の前後左右いずれの側壁面に取り付けてもよく、例えば、図２（ａ）を参照すれば、扉支持部材５は、上記実施形態では前後調整ボルト３で前後方向に調整するものであったが、ひじ金具１を門柱１０の左側壁面に取り付けたときは、その前後調整ボルト３が扉支持部材５を左右方向に調整するときの調整ボルト（他方の調整ボルト）となり、同様に、左右調整ボルト４で扉支持部材５を前後方向に調整するときの調整ボルト（一方の調整ボルト）にとなる。
【図面の簡単な説明】
【００１０】
【図１（ａ）（ｂ）（ｃ）（ｄ）】（ａ）（ｂ）は、本実施による門扉のひじ金具に有する前後調整ボルトを調整したときの図２中Ａ線の横断面図であり、（ｃ）（ｄ）は、左右調整ボルトを調整したときの図２中Ｂ線の横断面図であり、（ｂ）は平面図である。
【図２】本実施による門扉の一部を拡大し、ひじ金具を中心に示す斜視図である。
【図３（ａ）（ｂ）】本実施による門扉を示す正面図である。
【符号の説明】
【００１１】
１  ひじ金具
１ａ  本体
２  連動部材
３  前後調整ボルト（一方の調整ボルト）
４  左右調整ボルト（他方の調整ボルト）
５  扉支持部材
５ａ  切欠部
１０  門柱
１１  扉
【図１（ａ）（ｂ）（ｃ）（ｄ）】
2010116704.tif 000003
【図２】
2010116704.tif 000004
【図３（ａ）（ｂ）】
2010116704.tif 000005